(57)【要約】【課題】本発明の目的は、家屋、インテリアなどに供されたガラス板などに直接、調光フィルムをブロック型に組み合わせ貼り合わせる簡便な方法を提供する。【解決手段】透明電極膜を設けた２枚の可撓性の透明フィルムの間に高分子分散液晶層を挟んだ構造を持ち、光の散乱と透過とを電気的に制御する調光フィルムを四角にカットした面を交互に電極板を接着剤で介して貼り付け加工する。【選択図】図３
2011191552.tif 000002
【特許請求の範囲】
【請求項１】
透明電極膜を設けた２枚の可撓性透明フィルムの間に高分子分散液晶層を挟んだ構造の調光フィルムにおいて、２枚の可撓性透明フィルムを、透明電極膜が外部に表れるよう縦及び横方向にずらして貼り付けることを特徴とするブロック型調光フィルム。
【請求項２】
可撓性透明フィルムの材質に、印刷可能な樹脂としたことを特徴とするブロック型調光フィルム。
【請求項３】
複数のブロック型調光フィルムを組み合わせて貼り付け設置する場合において、互いの透明電極膜を導電性接着剤で結合することを特徴とするブロック型調光フィルムの貼り付け方法。
【発明の詳細な説明】
【技術分野】
【０００１】
本発明の目的は、家屋、インテリアなどに供されたガラス板などに直接、調光フィルムを簡単に貼り合わせる方法を提供する。
【背景技術】
【０００２】
従来の調光フィルムは建物の窓などに取り付けて、電気的に光の散乱と透過との切り換えにより、窓の透視性の制御や部屋の調光に、またパターンをもった大画面表示素子として利用されている。また、調光フィルムを鏡のような反射板に取り付けて反射率を制御することもできる。この調光フィルムを窓や鏡などに取り付けるときは、あらかじめ２枚のガラス板、又はガラス板と鏡板に調光フィルムを合わせガラスの方法で貼り合わせておき、そのガラス板を窓枠や鏡枠などに取り付ける方法が採られている。
【先行技術文献】
【特許文献】
【０００３】
【特許文献１】特開２００６−１８６５４０
【特許文献２】特開２００６−２４８２５１
【発明の概要】
【発明が解決しようとする課題】
【０００４】
あらかじめ２枚のガラス板の間に調光フィルムを貼り合わせておき、そのガラス板を窓枠などに取り付ける従来の方法において、既存のガラス窓に調光フィルムを貼り付けようとするときには、ガラス窓ごと取り換える必要があり、そのための工事にかかる費用や期間が大きくなるという欠点があった。
【０００５】
ところが特許文献１及び２等に記載された調光フィルムは、可撓性フィルムの間に高分子分散液晶層を挟んだ構造を持ち、光の散乱と透過を電気的に制御する耐久性及び調光精度を高めるには調光フィルム自体が厚くなり既存の建具などの取り付け現場での作業や運搬及び加工が困難である。
【課題を解決するための手段】
【０００６】
前記課題を解決するために、透明電極膜を設けた２枚の可撓性透明フィルムの間に高分子分散液晶層を挟んだ構造の調光フィルムにおいて、略正方形の２枚の可撓性透明フィルムを、透明電極膜が外部に表れるよう縦及び横方向にずらして貼り付けることを特徴とする。
【０００７】
本発明によれば、前記目的は、透明電極膜を設けた２枚の可撓性フィルムの間に高分子分散液晶層を挟んだ構造を持ち、光の散乱と透過を電気的に制御する四面カットしたブロック型調光フィルムを、接着剤を介して貼り付け方法によって達成できる。
【０００８】
本発明によれば、前記目的は、ガラス又は樹脂でできた透明板又は反射板と、透明電極膜を設けた２枚の可撓性の透明フィルムの間に高分子分散液晶層を挟んだ構造を持ち、光の散乱と透過を電気的に制御すべく前記ブロック型調光フィルムに接着剤を介して貼り付けられた調光フィルムと、前記調光フィルムの電圧を、アダプター・コンバーター等を用いて低電圧駆動も可能とする。
【０００９】
本発明によれば、家屋などに供された既存のガラス板などに接着剤を介して調光フィルムを貼り付け、その後に調光フィルムの周辺部を絶縁樹脂で封止することによって、調光フィルムの周辺部や調光フィルムから取り出しているリード線がガラス板にしっかりと固定され、調光フィルムの周辺部からの剥れや、リード線の接触不良などが起こることを防止する。さらに、調光フィルムの周辺部の水分等により発生するリーク不良や、調光フィルムの腐食を防止できる。
【発明の効果】
【００１０】
ブロック型調光フィルムを複数枚組み合わせて設置することにより、面積の大きいガラスにも設置でき、ブロック型調光フィルム自体は軽量のため持ち運びが容易となり、加工についてもハサミやカッターなどで簡単に加工が出来、一枚々組み合わせる事で大きなサイズまで可能又感度調整についても低電圧が可能となる。さらに、ブロック型調光フィルム側に両面接着シートなどで貼り合せて置くことで簡単に貼り付けることが出来る。
【図面の簡単な説明】
【００１１】
【図１】本発明の建具取り付け断面図である
【図２】本発明の建具取り付け外観図である。
【図３】本発明の貼り付け外観図である。
【発明を実施するための最良の形態】
【００１２】
例えば、平板状の可撓性透明フィルムの片側全面に透明電極膜を形成し、その上に高分子分散液晶層を形成する。高分子分散液晶層の形成は、ひとつの角に隣接する２辺において、ある巾で高分子分散液晶層を形成しない部分を設ける。もう１枚のフィルムにも片側全面に透明電極膜を形成し、前記高分子分散液晶層が形成されたフィルムと貼り合せる。貼り合せる際に、透明電極膜が外部に表れるよう縦及び横方向にずらして貼り付けることで、調光フィルムは完成する。完成した調光フィルムを複数枚組み合わせて貼り付ける際に、前期外部に表れた透明電極膜同士を結合する。透明電極膜の結合には、導電性接着剤等を用いる。
【００１３】
可撓性透明フィルムの形状は正方形や長方形等の四角形であることが望ましいが、これに限定されるものではない。また、材質は樹脂製が望ましいが、ＰＥＴのような表面に印刷が可能な材質にすることで、印刷機及び複写機等で、調光シート表面に様々な文字や図柄等を印刷することも可能となる。
【００１４】
透明導電性フィルム１、２によって挟まれた液晶材料層３及び透明導電性フィルム４、５によって挟まれた液晶材料層６が、導電性接着剤７によって、貼り付け枠８を有するガラス板９に接着剤１０によって、貼り付けられている。透明導電性フィルム５にはリード線１１及び透明導電性フィルム１２にはリード線１３が取り付けられている。各リード線１１、１３は電圧を供給するために外側に取り出されている。液晶材料層６、１６の周辺部はテープ１４が取り付けてあり、さらに絶縁樹脂１５で封止されているフィルム１、２、４、５、１２、１７は、透明電極膜を設けた可撓性フィルムであり、透明電極膜が液晶材料層３、６、１６の両面に接するように挟み込んでいる。
【００１５】
透明導電性フィルム１、２によって挟まれた液晶材料層３が、透明導電性フィルム４、５によって挟まれた液晶材料層６が、導電性接着剤７などで装着される。
【００１６】
フィルム１、２、４、５、１２、１７を構成する可撓性フィルムは、主として有機高分子フィルムからなり、例えばＰＥＴ、ポリカーボネート、ポリイミド、塩化ビニル、ポリプロピレン、ポリエチレンなどが使用される。
【００１７】
この可撓性フィルムには、着色するために透明性を損なわない程度に顔料を添加したり、サンドマット加工などの表面加工を施してもよい。
【００１８】
フィルム１、２、４、５、１２、１７の透明電極膜には、ＮＥＳＡ膜などの酸化スズ膜やＩＴＯ膜などの酸化インジウム膜などが使用される。
【００１９】
可撓性フィルムに対する透明電極膜の密着性を向上させるために、可撓性フィルムと透明電極膜の間に、中間層を設けてもよい。この中間層としては有機ケイ素化合物、チタンアルキルエステル、ジルコニウムアルキルエステルなどの有機金属化合物の加水分解によって生成された層が好ましく使用される。
【００２０】
液晶材料層３、６、１６の液晶化合物には、ネマチック型、コレステリック型、スメクチック型などが使用される。
【００２１】
接着剤１０としては、エポキシ樹脂、シリコーン樹脂、アクリレート樹脂などの樹脂接着剤や両面に粘着剤を保持した両面接着タイプのフィルムやテープなどが使用される。
【００２２】
接着剤１０は、接着剤１０を調光フィルムとガラス板９又は反射板の間に、全面に用いる場合は、透明接着剤を使用するが、周辺部のみに用いる場合は、接着剤１０は透明でなくてもよい。
【００２３】
絶縁樹脂１５としては、ブチルゴム、シリコーン樹脂、エポキシ樹脂、ウレタン樹脂などが使用される。
【００２４】
次に、調光フィルムの貼り付け方法について説明する。
枠８を有するガラス板９に接着剤１０を塗布する。次に、接着剤１０を塗布したガラス板９にフィルム１、２、４、５、１２、１７の間に液晶材料層３、６、１６が挟まれた調光フィルムを貼り付ける。その後に、絶縁樹脂１５で調光フィルムの周辺部を封止する。
【００２５】
調光フィルムは、その側面を粘着剤のついたテープ１４や樹脂であらかじめ封止して、保護するようにしてもよい。
【００２６】
調光フィルムの上面には、調光フィルムをガラス板９に貼り付けた後、紫外線フィルター、ハードコートフィルム、赤外線カットフィルムなどを取り付けてもよい。また、透明樹脂板を調光フィルムの上面に取り付けて調光フィルムを保護するようにしてもよい。
【００２７】
調光フィルムに接着シートを貼り付けガラス板５に貼り付ける際に接着シートをはがし貼り付けるようにしてもよい。
【００２８】
接着剤１０をガラス板９に塗布する方法としては、直接ハケで接着剤１０をガラス板５に塗ってもよいし、スプレーで吹き付けるようにしてもよい。また両面テープによって貼り付けてもよい。あらかじめ接着剤１０が塗ってある調光フィルムを直接ガラス板９に貼り付けるようにしてもよい。
【００２９】
絶縁樹脂１５で調光フィルムの周辺部を封止する方法としては、ブチルゴムを調光フィルムの周辺部に貼り付けてもよいし、シリコーン樹脂などをハケで周辺部に塗った後、シリコーン樹脂を硬化させてもよい。
【００３０】
絶縁樹脂１５で調光フィルムの周辺部を封止した後、絶縁樹脂１５の上を樹脂枠や金属枠で覆うようにしてもよい。
調光フィルムを貼り付けるべきガラス板９は、アクリルやポリカーボネートなどの透明な樹脂板であってもよい。又は、鏡のような反射板でもよい。
【００３１】
以上の構成において、リード線１１、１３間に電圧を印加しない場合は、液晶化合物が全体としてランダムに配向するため、入射してくる光を散乱する。そしてリード線１１、１３間に例えばコンバーター、インバーター等で電圧を変えて１〜２００Ｖの直流ないし交流電圧を印加すると、液晶の持つ誘電異方性により、液晶は電場に平行に配向し、入射した光を散乱することなく透過する。この現象により調光フィルムは電圧のオン、オフにより光の透過量を調整することができ、調光フィルムを貼り付けたガラス板９は、調光窓や調光カーテンなどとして使用できる。
【００３２】
以上説明したように、本発明によれば、調光フィルムの周辺部や調光フィルムから取り出しているリード線が、ガラス板にしっかりと固定され、調光フィルムが周辺部から剥がれたり、リード線の接触不良などが起こることを防止できる。さらに、調光フィルムの周辺部に水分が付いて、調光フィルムがリーク不良を起こしたり、調光フィルムが腐食したりすることを防止できる。
【産業上の利用可能性】
【００３３】
本発明のブロック型調光フィルムは、工業生産が可能である。
【符号の説明】
【００３４】
１    透明導電性フィルム
２    透明導電性フィルム
３    液晶材料層
４    透明導電性フィルム
５    透明導電性フィルム
６    液晶材料層
７    導電性接着剤
８    枠
９    ガラス板
１０  接着剤
１１  リード線
１２  透明導電性フィルム
１３  リード線
１４  テープ
１５  絶縁樹脂
【図１】
2011191552.tif 000003
【図２】
2011191552.tif 000004
【図３】
2011191552.tif 000005